(57)【特許請求の範囲】
【請求項１】
室内外を連通する開口に設けられた枠体と、
前記枠体に設けられ開閉移動可能な障子と、
前記障子を、第１開閉状態と第２開閉状態となるように前記障子の開閉移動量を規制する規制機構と、
を備えた建具であって、
前記障子に設けられ室内側からの操作により回動可能な内回動軸と、
前記障子に設けられ室外側からの操作により回動可能な外回動軸と、
前記内回動軸の回転に伴って、前記第１開閉状態と前記第２開閉状態とが切り替えられる切替機構と、
前記内回動軸と前記外回動軸とを同軸にて連結し、前記切替機構の操作により前記内回動軸を回動させたときには、前記内回動軸の回動を前記外回動軸に伝達しない連結部材と、
を有することを特徴とする建具。
【請求項２】
請求項１に記載の建具であって、
前記第１開閉状態は、前記障子が前記第２開閉状態より閉じた状態であり、
前記第１開閉状態となるように前記切替機構が設定されている場合に、前記外回動軸を回動させたときには、前記連結部材は前記外回動軸の回動を前記内回動軸に伝達して、前記障子を開いた際に前記第２開閉状態をなすように前記切替機構が切り替えられることを特徴とする建具。
【請求項３】
請求項２に記載の建具であって、
前記第２開閉状態となるように前記切替機構が設定されている場合に、前記外回動軸を回動させたときには、前記連結部材は前記外回動軸の回動を前記内回動軸に伝達しないことを特徴とする建具。
【請求項４】
請求項１乃至請求項３のいずれかに記載の建具であって、
前記内回動軸と前記外回動軸は、いずれも断面が正方形状の角軸であり、
前記連結部材は、前記内回動軸が挿入される内軸挿入孔と、前記外回動軸が挿入される外軸挿入孔とを有し、
前記内軸挿入孔は、軸心を中心とする周方向に、前記内回動軸が有する角部と係合する複数の内軸係合部を有し、
前記外軸挿入孔は、軸心を中心とする周方向に、前記外回動軸が有する角部と係合する複数の外軸係合部を有し、
前記切替機構の操作により前記内回動軸を回動させたときには、
当該内回動軸の回動により、前記角部を形成する２面のうちの前記内回動軸の回動方向における前方側となる前面が前記内軸係合部に係合した後に前記内回動軸とともに前記連結部材が回動し、回動した前記連結部材の前記外軸係合部が、前記外回動軸の、前記内回動軸の回動方向における後方側となる後面に係合することを特徴とする建具。
【請求項５】
請求項４に記載の建具であって、
前記第１開閉状態となるように前記切替機構が設定されている場合に、前記外回動軸が回動するときには、
当該外回動軸の、前記外回動軸の回動方向における前方側となる前面が、前記外軸係合部に係合しつつ前記連結部材とともに回動し、回動する前記連結部材の前記内軸係合部が、前記内回動軸の、前記外回動軸の回動方向における後方側となる後面に係合しつつ前記連結部材とともに前記内回動軸が回動することを特徴とする建具。
【請求項６】
請求項４または請求項５に記載の建具であって、
前記障子を開いた際に第２開閉状態をなすように前記切替機構が設定されている場合に、前記外回動軸を回動させたときには、当該外回動軸の回動により、前記外回動軸の回動方向における前方側となる前面が前記外軸係合部に係合した後に前記外回動軸とともに前記連結部材が回動し、回動した前記連結部材の前記内軸係合部が、前記内回動軸の、前記外回動軸の回動方向における後方側となる後面に係合することを特徴とする建具。
【請求項７】
請求項１乃至請求項６のいずれかに記載の建具であって、
前記内回動軸は、前記切替機構を室内外方向に貫通すると共に、その室外側先端側が前記連結部材を介して前記外回動軸と連結されることを特徴とする建具。
【発明の詳細な説明】
【技術分野】
【０００１】
本発明は、室内外を連通する開口に設けられた開閉移動可能な障子の開閉移動量を規制する規制機構と、室外側からの操作により前記規制を解除可能な操作部を備えた建具に関する。
【背景技術】
【０００２】
室内外を連通する開口に設けられた開閉移動可能な障子の開閉移動量を規制する規制機構と、室外側からの操作により前記規制を解除可能な操作部を備えた建具としては、例えば、火災等の際に、牽制アームによる窓の開放規制作用を屋外側から解除することが可能な建具が知られている（例えば、特許文献１参照）。
【先行技術文献】
【特許文献】
【０００３】
【特許文献１】特開２００１−２８８９４９号公報
【発明の概要】
【発明が解決しようとする課題】
【０００４】
上記のような建具のように、窓の開放規制作用を屋外側から解除する操作部は、緊急時に使用されることを想定して操作し易いように比較的大きなハンドルが設けられる場合がある。また、このような窓であっても、清掃時等には開放規制を室内側から解除できるように室内側にも操作部が設けられている場合があり、室内側の操作部は美観を考慮して比較的小さな操作部が設けられている。このため、同一の開放解除機構を操作する室内側の操作部と室外側の操作部とが設けられている場合には、室内側から操作する場合には、小さな操作部にて大きなハンドルも移動させなければならないため、操作性が悪いという課題がある。
【０００５】
本発明は、かかる課題に鑑みてなされたものであり、その目的とするところは、室外側から解除可能な開放規制部を有しつつ室内側からの規制解除操作性に優れた建具を提供することにある。
【課題を解決するための手段】
【０００６】
かかる目的を達成するために本発明の建具は、室内外を連通する開口に設けられた枠体と、前記枠体に設けられ開閉移動可能な障子と、前記障子を、第１開閉状態と第２開閉状態となるように前記障子の開閉移動量を規制する規制機構と、を備えた建具であって、前記障子に設けられ室内側からの操作により回動可能な内回動軸と、前記障子に設けられ室外側からの操作により回動可能な外回動軸と、前記内回動軸の回転に伴って、前記第１開閉状態と前記第２開閉状態とが切り替えられる切替機構と、前記内回動軸と前記外回動軸とを同軸にて連結し、前記切替機構の操作により前記内回動軸を回動させたときには、前記内回動軸の回動を前記外回動軸に伝達しない連結部材と、を有することを特徴とする建具である。  
このような建具によれば、第１開閉状態と第２開閉状態とを、室内側からの操作による回動に伴って切り替え可能な内回動軸と、室外側からの操作により回動可能な外回動軸とが、同軸で連結部材にて連結されており、連結部材は、内回動軸の回動を外回動軸に伝達しないので、室内側から内回動軸を回動する際には外回動軸側と分離して内回動軸を回動することが可能である。このため、第１開閉状態と第２開閉状態との切替操作が容易な操作性に優れた建具を提供することが可能である。
【０００７】
かかる建具であって、前記第１開閉状態は、前記障子が前記第２開閉状態より閉じた状態であり、前記第１開閉状態となるように前記切替機構が設定されている場合に、前記外回動軸を回動させたときには、前記連結部材は前記外回動軸の回動を前記内回動軸に伝達して、前記障子を開いた際に前記第２開閉状態をなすように前記切替機構が切り替えられることが望ましい。  
このような建具によれば、第２開閉状態より閉じた状態、すなわち狭く開くように切替機構が設定されている場合や、障子を閉じた状態に維持するように切替機構が設定されている場合には、外回動軸の回動が内回動軸に伝達されて障子を開いた際により広く開くように、または、閉じた状態から開くように、切替機構が切り替えられるので、室外側から操作して外回動軸を回動させた場合には、障子をより広く開くことや閉じた状態から開くことが可能である。
【０００８】
かかる建具であって、前記第２開閉状態となるように前記切替機構が設定されている場合に、前記外回動軸を回動させたときには、前記連結部材は前記外回動軸の回動を前記内回動軸に伝達しないことが望ましい。  
このような建具によれば、障子を開いた際に第１開閉状態より開いた状態、すなわち広く開くよう、または、閉じた状態から開くように、切替機構が設定されている場合には、外回動軸の回動が内回動軸に伝達されないので、外側から操作されたとしても広く開くことや閉じた状態から開くことが可能な状態を維持することが可能である。
【０００９】
かかる建具であって、前記内回動軸と前記外回動軸は、いずれも断面が正方形状の角軸であり、前記連結部材は、前記内回動軸が挿入される内軸挿入孔と、前記外回動軸が挿入される外軸挿入孔とを有し、前記内軸挿入孔は、軸心を中心とする周方向に、前記内回動軸が有する角部と係合する複数の内軸係合部を有し、前記外軸挿入孔は、軸心を中心とする周方向に、前記外回動軸が有する角部と係合する複数の外軸係合部を有し、前記切替機構の操作により前記内回動軸を回動させたときには、当該内回動軸の回動により、前記角部を形成する２面のうちの前記内回動軸の回動方向における前方側となる前面が前記内軸係合部に係合した後に前記内回動軸とともに前記連結部材が回動し、回動した前記連結部材の前記外軸係合部が、前記外回動軸の、前記内回動軸の回動方向における後方側となる後面に係合することが望ましい。  
このような建具によれば、切替機構の操作により内回動軸が回動すると、まず内回動軸のみが回動し、内回動軸が有する角部の前面が内軸係合部に係合し内回動軸とともに連結部材が回動し、さらに回動して連結部材の外軸係合部が、外回動軸の後面に係合するので、外回動軸の後面に外軸係合部が係合するまでは、内回動軸を回動させても外回動軸に内回動軸の回動が伝達されない機構を実現することが可能である。なお、ここでいう正方形状とは、四つ角が面取りされたもの含まれる。従って、角が直角である必要はなく、テーパー形状や円弧形状であっても良い。
【００１０】
かかる建具であって、第１開閉状態となるように前記切替機構が設定されている場合に、前記外回動軸を回動させたときには、当該外回動軸の、前記外回動軸の回動方向における前方側となる前面が、前記外軸係合部に係合しつつ前記連結部材とともに回動し、回動する前記連結部材の前記内軸係合部が、前記内回動軸の、前記外回動軸の回動方向における後方側となる後面に係合しつつ前記連結部材とともに前記内回動軸が回動することが望ましい。  
このような建具によれば、第１開閉状態となるように切替機構が設定されている場合に、外回動軸が回動すると、まず、外回動軸が有する角部の前面が外軸係合部に係合しつつ回動する連結部材の内軸係合部が、内回動軸後面に係合しつつ連結部材とともに内回動軸が回動するので、外回動軸の回動が内回動軸に伝達される。このため、障子が狭く開くように切替機構が設定されていたり、障子を閉じた状態に維持するように切替機構が設定されていたとしても、外回動軸を回動することにより障子を広く開かせることや閉じた状態から開くことを可能とする機構を実現することが可能である。
【００１１】
かかる建具であって、前記第２開閉状態となるように前記切替機構が設定されている場合に、前記外回動軸が回動するときには、当該外回動軸の回動により、前記外回動軸の回動方向における前方側となる前面が前記外軸係合部に係合した後に前記外回動軸とともに前記連結部材が回動し、回動した前記連結部材の前記内軸係合部が、前記内回動軸の、前記外回動軸の回動方向における後方側となる後面に係合することが望ましい。  
このような建具によれば、第２開閉状態となるように切替機構が設定されている場合に、外回動軸が回動すると、まず外回動軸のみが回動し、外回動軸が有する角部の前面が外軸係合部に係合し外回動軸とともに連結部材が回動し、さらに回動して連結部材の内軸係合部が、内回動軸の後面に係合するので、内回動軸の後面に内軸係合部が係合するまでは、外回動軸を回動させても内回動軸に外回動軸の回動が伝達されない機構を実現することが可能である。
【００１２】
かかる建具であって、前記内回動軸は、前記切替機構を室内外方向に貫通すると共に、その室外側先端側が前記連結部材を介して前記外回動軸と連結されることが望ましい。  
このような建具によれば、内回動軸の回動に伴って切替機構は常に切替可能となる一方、内回動軸の回動により外回動軸が回動することがない構造とすることが可能となる。更に、そのような構造により、外回動軸の回動は連結部材を介して切替機構に伝わる構成になることから、切替設定に応じて外回動軸の回動を切替機構に伝えたり伝えなかったりすることが可能となる。
【発明の効果】
【００１３】
本発明によれば、室外側から解除可能な開放規制部を有しつつ室内側からの規制解除操作性に優れた建具を提供することが可能である。
【図面の簡単な説明】
【００１４】
【図１】本実施形態に係る建具を室外側から見た図である。
【図２】本実施形態に係る建具を室内側から見た図である。
【図３】本実施形態に係る建具を戸先框側から見た図である。
【図４】本建具のグレモン錠、切替機構、規制機構、外側開閉機構の構成を説明するための図である。
【図５】連結部材の斜視図である。
【図６】図５におけるＡ矢視図である。
【図７】図５におけるＢ矢視図である。
【図８】切替機構の設定を半開状態から全開状態に切り替えるときの動作を説明する図である。
【図９】切替機構の設定を全開状態から半開状態に切り替えるときの動作を説明する図である。
【図１０】切替機構の設定が半開状態のとき室外ハンドルを操作したときの動作を説明する図である。
【図１１】切替機構の設定が全開状態のとき室外ハンドルを操作したときの動作を説明する図である。
【発明を実施するための形態】
【００１５】
以下、本発明の一実施形態に係る建具について図面を参照して説明する。  
本実施形態の建具は、室外から障子の開閉操作が可能な室外ハンドルを備えた非常進入口用の建具である。
【００１６】
以下の説明では、建具を室外側から見たときに上下となる方向を上下方向、左右となる方向を左右方向または見付け方向、室内外方向である奥行き方向を見込み方向として示す。また、建具に設けられた各部材は、単体について説明する場合であっても、各部材が建具に取り付けられた状態にて上記のように各方向を示すこととする。
【００１７】
建具１は、図１〜図４に示すように、室内外を連通する開口に設けられた枠体２と、枠体２に上下にて回動自在に支持されて開閉移動可能な障子３と、障子３の開閉移動量を規制する規制機構４０と、を有している。
【００１８】
障子３は、上框３ａ、下框３ｂ、吊元框３ｃ及び戸先框３ｄを四周框組みした内部にガラスパネル３ｅを嵌め込んで構成されている。この障子３は、見付け方向の一方側となる吊元框３ｃ側にて、図示しないヒンジなどを介して枠体２に回動自在に支持され、戸先框３ｄ側が室外側に開放可能に構成されている。
【００１９】
建具１には、枠体２に対して障子３を施解錠するグレモン錠１０と、障子３の開閉移動量すなわち開放角度を規制する規制機構４０と、規制機構４０による障子３の開放状態を第１開閉状態としての半開状態と、第２開閉状態としての全開状態とに切り替える切替機構２０と、非常時に室外側から障子３を開放するための外側開放機構３０と、が設けられている。
【００２０】
グレモン錠１０は、戸先框３ｄに設けられる錠機構本体１１と、枠体２が有する縦枠２ａの見込み面の上下２箇所にそれぞれ設けられた錠受け部５と、を備えて構成されている。
【００２１】
錠機構本体１１は、戸先框３ｄの内側に設けられ、施解錠時に回動操作される操作ハンドル１２と、操作ハンドル１２の回動中心をなし室外側に向けて設けられた施解錠回動軸１２ａと、施解錠回動軸１２ａと係合し施解錠回動軸１２ａの回動を上下動に変換する変換機構１６と、変換機構１６に連結されて上下方向に移動する、図示しない上下動部材と、上下動部材に設けられたピン１５を介して連結され戸先框３ｄに沿って上下に延び上下動部材及びピン１５とともに上下動するリンク部材１９と、リンク部材１９の上下端部側にそれぞれ固定されて錠受け部５と係合可能な係合ピン１８と、を有して構成されている。
【００２２】
操作ハンドル１２は、施解錠回動軸１２ａと一体に形成されており、操作ハンドル１２が水平をなすときに解錠され、鉛直に向くように回動されて施錠されるように構成されている。すなわち、操作ハンドル１２が９０度回動することにより、解錠状態から施錠状態、または、施錠状態から解錠状態に変更される。施解錠回動軸１２ａは、断面がほぼ正方形状の角軸である。
【００２３】
リンク部材１９は、上下動部材に連結されて上方に延びる第１リンク１９ａと、上下動部材に連結されて下方に延びる第２リンク１９ｂと、錠機構本体１１の下方に設けられた切替機構２０の切替機構本体２１の下方に配置される第４リンク１９ｄと、第２リンク１９ｂと第４リンク１９ｄとを連結し切替機構本体２１と係合する第３リンク１９ｃとを有している。第１リンク１９ａ、第２リンク１９ｂ、第３リンク１９ｃ、第４リンク１９ｄと上下動部材とはピン１５により連結され、操作ハンドル１２の回動が変換機構１６により変換されて上下方向に移動するように形成されている。
【００２４】
このグレモン錠１０は、操作ハンドル１２が鉛直方向に沿って配置されているときに、リンク部材１９の上下端側に設けられた、係合ピン１８が縦枠２ａに設けられた錠受け部５と係合する施錠位置に配置される。そして、操作ハンドル１２が水平をなすように回動されることによる施解錠回動軸１２ａの回動が変換機構１６により上下動部材の下方への移動に変換され、ピン１５により上下動部材と連結されたリンク部材１９が下方に移動する。リンク部材１９が下方に移動すると係合ピン１８と錠受け部５との係合が外れることにより、施錠が解除される。
【００２５】
また、操作ハンドル１２が水平をなしているときには、操作ハンドル１２が鉛直に沿うように回動されることによる施解錠回動軸１２ａの回動が変換機構１６により上下動部材の上方への移動に変換される。そして、ピン１５により上下動部材と連結されたリンク部材１９が上方に移動して係合ピン１８と錠受け部５とが係合することにより施錠される。
【００２６】
グレモン錠１０を解錠して障子３を室外側に開放した際には、規制機構４０によって障子３の開放角度が規制され、例えば、縦枠２ａと戸先框３ｄとの間に１０ｃｍ程度の隙間ができて、換気可能でかつ人の出入りができない程度の第１開閉状態としての半開状態、または、障子３が最も広く開いて人の出入りが可能な第２開閉状態としての全開状態に開放できるように構成されている。
【００２７】
規制機構４０は、戸先框３ｄに設けられる規制機構本体４１と、縦枠２ａの見込み面に固定される規制受け部材４２とを備え、規制機構本体４１は、戸先框３ｄの見込み面に固定されるベース部材４３と、このベース部材４３に上下スライド自在に支持されるスライド部材４４と、このスライド部材４４に一端が回動自在に支持された角度規制アーム４５と、角度規制アーム４５の軸支位置を上下に案内する案内部材４６と、を備えて構成されている。また、案内部材４６の下端部とスライド部材４４との間には、スライド部材４４を上方に付勢するコイルばね(不図示)が設けられている。
【００２８】
角度規制アーム４５の他端側には、規制受け部材４２に規制されるとともに上下にスライド案内される被係合ピン４５ａが固定されている。一方、規制受け部材４２は、上下に延びる案内溝４２ａを有しており、この案内溝４２ａの下端部には、下方に開口する開口部４２ｂが形成され、この開口部４２ｂから角度規制アーム４５の被係合ピン４５ａが案内溝４２ａに挿通されるとともに、案内溝４２ａに沿って被係合ピン４５ａが上下にスライドすべく案内されるようになっている。また、案内溝４２ａの上端には、上端位置までスライドした被係合ピン４５ａを保持するための保持機構（不図示）が設けられており、被係合ピン４５ａが保持機構により保持されることにより、角度規制アーム４５による障子３の半開状態が維持できるように構成されている。
【００２９】
また、スライド部材４４はベース部材４３に対して上下方向にスライド可能に支持されている。このスライド部材４４には、後述する切替機構２０の係合突起２５ｂと係合する図示しない連動孔が設けられている。案内部材４６は、２本のピン４６ａによってベース部材４３に固定されている。
【００３０】
本実施形態の切替機構２０は、グレモン錠１０の錠機構本体１１と略同様の構成を備えるとともに、室内側から操作可能に設けられている。具体的には、切替機構２０は、障子３の戸先框３ｄの錠機構本体１１の下方に設けられており、戸先框３ｄの室内側に固定される台座２３と、この台座２３から室内側に突出して設けられるサムターンでなる切替操作部２４と、台座２３を貫通した切替操作部２４の内回動軸２４ａの先端に連結されてその回動を上下動に変換する変換機構２６と、この変換機構２６に連結される上下動部材２５とを備えて構成されている。さらに、上下動部材２５には、グレモン錠１０のリンク部材１９が有する第３リンク１９ｃに設けられた係合孔１９ｅ内を上下スライド移動する係合片２５ａと、係合孔１９ｅを貫通するとともに規制機構４０のスライド部材４４が有する連動孔と連動可能な係合突起２５ｂとが設けられている。切替操作部２４は、水平をなすときに、障子３が全開状態となることが可能に設定され、鉛直に向くように回動されて障子３が半開状態にて記載されるように構成されている。すなわち、切替操作部２４が９０度回動することにより、全開状態から半開状態、または、半開状態から全開状態に変更される。
【００３１】
切替機構２０の内回動軸２４ａは、変換機構２６を貫通して室外側に突出しており、変換機構２６の室外側にて、戸先框３ｄの室外側に設けられた室外ハンドル３１の回動軸をなし角軸でなる外回動軸３１ａと、連結部材３２を介して連結されている。
【００３２】
本実施形態の連結部材３２は、内回動軸２４ａと外回動軸３１ａとを連結しているが、室外ハンドル３１が鉛直方向に沿って配置されている時、切替操作部２４の操作による内回動軸２４ａの回動は外回動軸３１ａに伝達されず、また、リンク部材１９及びスライド部材４４が移動可能な範囲の上側に位置しているときには、室外ハンドル３１を鉛直方向から水平方向に沿うように回動させることで、外回動軸３１ａの回動を内回動軸２４ａに伝達し、リンク部材１９及びスライド部材４４が移動可能な範囲の下側に位置しているときには、室外ハンドル３１を鉛直方向から水平方向または水平方向から鉛直方向に回動させても外回動軸３１ａの回動が内回動軸２４ａに伝達しないように構成されている。すなわち、室外ハンドル３１の回動は、規制機構４０にて半開状態に設定されている場合（第１開閉状態となる設定）、または、グレモン錠１０により施錠状態に設定されている場合には、室外ハンドル３１の回動が内回動軸２４ａに伝達されるように構成されている。
【００３３】
具体的には、図５〜図７に示すように、連結部材３２は、円柱状をなし、円柱の高さ方向が見込み方向に沿うように配置される。そして、室内側には内回動軸２４ａが挿入される内軸挿入孔３３が、室外側には外回動軸３１ａが挿入される外軸挿入孔３４がそれぞれ設けられている。
【００３４】
本実施形態では、内回動軸２４ａと外回動軸３１ａとは同じ断面形状をなしており、内軸挿入孔３３と外軸挿入孔３４も同一形状をなしている。
【００３５】
内軸挿入孔３３と外軸挿入孔３４とは、角軸の断面をなす正方形の対角線より僅かに長い長さを直径とする仮想円３３ａ、３４ａを、円周方向に８等分して８つの領域に分け、８つの領域のうち、互いに隣接しない４つの領域に挿入された角軸が係合する内軸係合部３３ｂ及び外軸係合部３４ｂが仮想円３３ａ、３４ａの中心側に突出させて設けられている。
【００３６】
そして、内回動軸２４ａと外回動軸３１ａとは、角軸の４つの角部がそれぞれ周方向に隣りあう内軸係合部３３ｂ同士及び外軸係合部３４ｂ同士の間に位置するように挿入されている。そして、内回動軸２４ａは内軸挿入孔３３内にて、外回動軸３１ａは外軸挿入孔３４内にていずれも、内軸係合部３３ｂ及び外軸係合部３４ｂが設けられていない領域にて内回動軸２４ａ及び外回動軸３１ａのみが４５度回動できるように形成されている。
【００３７】
すなわち、内回動軸２４ａと外回動軸３１ａとが有する各角部を形成する２つの面２４ｂ、２４ｃ、３１ｂ、３１ｃは、一方の面が内軸係合部３３ｂ及び外軸係合部３４ｂに当接された状態から、他方の面が内軸係合部３３ｂ及び外軸係合部３４ｂに当接される状態まで４５度回転することが可能である。このとき、連結部材３２に対して内回動軸２４ａ及び外回動軸３１ａが回動する場合には、角部を形成する２面２４ｂ、２４ｃ、３１ｂ、３１ｃのうちの内回動軸２４ａ及び外回動軸３１ａの回動方向における前方側となる前面２４ｂ、３１ｂが内軸係合部３３ｂ及び外軸係合部３４ｂに係合する。一方、内回動軸２４ａ及び外回動軸３１ａに対して連結部材３２が回動する場合には、角部を形成する２面２４ｂ、２４ｃ、３１ｂ、３１ｃのうちの内回動軸２４ａ及び外回動軸３１ａの回動方向における後方側となる後面２４ｃ、３１ｃに内軸係合部３３ｂ及び外軸係合部３４ｂが係合する。
【００３８】
そして、内軸挿入孔３３と外軸挿入孔３４とは、内軸係合部３３ｂ及び外軸係合部３４ｂが設けられている領域と、内軸係合部３３ｂ及び外軸係合部３４ｂが設けられていない領域とが、見込み方向に見たときに重ならないように、すなわち、内軸挿入孔３３と外軸挿入孔３４とで内軸係合部３３ｂ及び外軸係合部３４ｂの位相が一致しないように形成されている。本実施形態の場合には、内軸係合部３３ｂ及び外軸係合部３４ｂが設けられている領域と、内軸係合部３３ｂ及び外軸係合部３４ｂが設けられていない領域とが、見込み方向に見たときに位相が反転するように形成されている。
【００３９】
図８〜図１１にて、連結部材にて連結された内回動軸と外回動軸と回動状態を説明する。図８〜図１１では、内軸挿入孔３３及び外軸挿入孔３４をいずれも室外側から見た状態にて示し、上下に位置する内回動軸２４ａと外回動軸３１ａとは回動時のタイミングが一致している。
【００４０】
室外ハンドル３１が鉛直方向に沿って配置されている時、切替機構２０の設定を半開状態から全開状態に切り替える場合には、図８に示すように、室外側から見て内回動軸２４ａを反時計回りに９０度回動させる。内回動軸２４ａを回動させる前、すなわち、切替機構２０にて半開状態に設定されている場合には、内回動軸２４ａは、内回動軸２４ａの回動方向において各角部の後面２４ｃに内軸係合部３３ｂが当接しており、外回動軸３１ａは、内回動軸２４ａの回動方向において各角部の前面３１ｂに外軸係合部３４ｂが当接している。
【００４１】
この状態から内回動軸２４ａを回動すると、内回動軸２４ａは、各角部の後面２４ｃが内軸係合部３３ｂから離れて内軸係合部３３ｂがない領域を回動し、４５度回転して内回動軸２４ａの前面２４ｂが内軸係合部３３ｂと係合する。すなわち、内回動軸２４ａが４５度回動する間に連結部材３２は回動しないので、内回動軸２４ａの回動は外回動軸３１ａに伝達されない。
【００４２】
そして、内回動軸２４ａの前面２４ｂが内軸係合部３３ｂと係合した状態からさらに内回動軸２４ａを回動すると、前面２４ｂが内軸係合部３３ｂを押すことにより連結部材３２は内回動軸２４ａとともに回動し始める。このとき、外回動軸３１ａ側では、連結部材３２が回動することにより、外回動軸３１ａの前面３１ｂに当接していた外軸係合部３４ｂが前面３１ｂから離れて連結部材３２のみが回動する。
【００４３】
そして、内回動軸２４ａが連結部材３２とともに４５度回動すると、外回動軸３１ａの後面３１ｃに外軸係合部３４ｂが当接する。このように、切替機構２０の設定を半開状態から全開状態に切り替える場合には、内回動軸２４ａを９０度回動させても外回動軸３１ａは回動しないので、室外ハンドル３１が回動することはない。
【００４４】
次に、切替機構２０の設定を全開状態から半開状態に切り替える場合には、図９に示すように、室外側から見て内回動軸２４ａを時計回りに９０度回動させる。内回動軸２４ａを回動させる前、すなわち、切替機構２０にて全開状態に設定されている場合には、内回動軸２４ａは、内回動軸２４ａの回動方向において各角部の後面２４ｃに内軸係合部３３ｂが当接しており、外回動軸３１ａは、内回動軸２４ａの回動方向において各角部の前面３１ｂに外軸係合部３４ｂが当接している。この状態から内回動軸２４ａを回動すると、内回動軸２４ａは、各角部の後面２４ｃが内軸係合部３３ｂから離れて内軸係合部３３ｂがない領域を回動し、４５度回転して内回動軸２４ａの前面２４ｂが内軸係合部３３ｂと係合する。すなわち、内回動軸２４ａが４５度回動する間に連結部材３２は回動しないので、内回動軸２４ａの回動は外回動軸３１ａに伝達されない。
【００４５】
そして、内回動軸２４ａの前面２４ｂが内軸係合部３３ｂと係合した状態からさらに内回動軸２４ａを回動すると、前面２４ｂが内軸係合部３３ｂを押すことにより連結部材３２は内回動軸２４ａとともに回動し始める。このとき、外回動軸３１ａ側では、連結部材３２が回動することにより、外回動軸３１ａの前面３１ｂに当接していた外軸係合部３４ｂが前面３１ｂから離れて連結部材３２のみが回動する。
【００４６】
そして、内回動軸２４ａが連結部材３２とともに４５度回動すると、外回動軸３１ａの後面３１ｃに外軸係合部３４ｂが当接する。このように、切替機構２０の設定を全開状態から半開状態に切り替える場合には、切替機構２０の設定を半開状態から全開状態に切り替える場合と回転方向が逆になるだけで、内回動軸２４ａを９０度回動させても外回動軸３１ａは回動しないので、室外ハンドル３１が回動することはない。
【００４７】
次に、切替機構２０が半開状態に設定されているときに室外ハンドル３１を鉛直方向から水平方向に沿うように操作する場合には、図１０に示すように、室外側から見て外回動軸３１ａを半時計回りに９０度回動させる。外回動軸３１ａを回動させる前、すなわち、切替機構２０にて半開状態に設定されている場合には、外回動軸３１ａは、外回動軸３１ａの回動方向において各角部の前面３１ｂが外軸係合部３４ｂに当接しており、内回動軸２４ａは、外回動軸３１ａの回動方向において各角部の後面２４ｃに内軸係合部３３ｂが当接している。
【００４８】
この状態から外回動軸３１ａを回動すると、外回動軸３１ａは、前面３１ｂが外軸係合部３４ｂを押すことにより連結部材３２は外回動軸３１ａとともに回動し始める。このとき、連結部材３２が回動することにより、内回動軸２４ａ側では、内回動軸２４ａの後面２４ｃに当接していた内軸係合部３３ｂが後面２４ｃを押すことにより連結部材３２とともに内回動軸２４ａが回動する。
【００４９】
そして、外回動軸３１ａが９０度回動すると、内回動軸２４ａも連結部材３２に連結されて外回動軸３１ａとともに９０度回動する。このため、切替機構２０が半開状態に設定されているときに室外ハンドルを操作すると、内回動軸２４ａが９０度回動されることにより、切替機構２０の回動が変換機構２６により下方向移動に変換されて上下動部材２５が下方に移動される。このとき、上下動部材２５に設けられている係合突起２５ｂが規制機構４０のスライド部材４４が有する連動孔を押し下げることにより、角度規制アーム４５の被係合ピン４５ａが規制受け部材４２の開口部４２ｂから外れて、切替機構２０が全開状態と成るように設定される。
【００５０】
また、このとき、上下動部材２５には、係合片２５ａも一体に設けられているので、グレモン錠１０が施錠状態にあったとしても、室外ハンドル３１の操作により内回動軸２４ａが９０度回動することで、グレモン錠１０のリンク部材１９が有する第３リンク１９ｃに設けられた係合孔１９ｅと係合片２５ａが係合してリンク部材１９が押し下げられる。
【００５１】
そして、リンク部材１９が下方に移動することにより係合ピン１８と錠受け部５との係合が外れて施錠が解除される。このため、グレモン錠１０が施錠状態にあったとしても、切替機構２０が半開状態に設定されていたとしても、いずれも室外ハンドル３１を操作することにより、障子３を全開状態に開放することが可能な状態となる。
【００５２】
次に、切替機構２０が全開状態に設定されているときに室外ハンドル３１を水平方向から鉛直方向に沿うように操作する場合には、図１１に示すように、室外側から見て外回動軸３１ａを時計回りに９０度回動させる。
【００５３】
外回動軸３１ａを回動させる前、すなわち、切替機構２０にて全開状態に設定されている場合には、外回動軸３１ａは、外回動軸３１ａの回動方向において各角部の後面３１ｃに外軸係合部３４ｂが当接しており、内回動軸２４ａは、外回動軸３１ａの回動方向において各角部の前面２４ｂに内軸係合部３３ｂが当接している。
【００５４】
この状態から外回動軸３１ａを回動すると、外回動軸３１ａは、各角部の後面３１ｃが外軸係合部３４ｂから離れて外軸係合部３４ｂがない領域を回動し、４５度回転して外回動軸３１ａの前面３１ｂが外軸係合部３４ｂと係合する。すなわち、外回動軸３１ａが４５度回動する間に連結部材３２は回動しないので、外回動軸３１ａの回動は内回動軸２４ａに伝達されない。
【００５５】
そして、外回動軸３１ａの前面３１ｂが外軸係合部３４ｂと係合した状態からさらに外回動軸３１ａを回動すると、前面３１ｂが外軸係合部３４ｂを押すことにより連結部材３２は外回動軸３１ａとともに回動し始める。このとき、内回動軸２４ａ側では、連結部材３２が回動することにより、内回動軸２４ａの前面２４ｂに当接していた内軸係合部３３ｂが前面２４ｂから離れて連結部材３２のみが回動する。そして、外回動軸３１ａが連結部材３２とともに４５度回動すると、内回動軸２４ａの後面２４ｃに内軸係合部３３ｂが当接する。
【００５６】
このように、切替機構２０の設定が全開状態に設定されているときに室外ハンドル３１を操作する場合には、室外ハンドル３１を操作しても外回動軸３１ａの回動が内回動軸２４ａに伝達されないので、切替機構２０にて全開状態に設定された状態が保たれる。このため、グレモン錠１０が解錠状態で切替機構２０が全開状態のときに、室外ハンドル３１を操作しても障子３を全開可能な状態に維持することができる。
【００５７】
本実施形態の建具１によれば、半開状態と全開状態とを切り替える切替機構２０の切替操作部２４を操作して回動される内回動軸２４ａの回動は、連結部材３２により室外ハンドル３１には伝達されない。このため、半開状態と全開状態とを切り替えるために切替操作部２４を操作する際には室外ハンドル３１側と分離して操作することが可能である。よって、半開状態と全開状態との切替操作が容易な操作性に優れた建具１を提供することが可能である。
【００５８】
このとき、切替機構２０の操作により内回動軸２４ａが回動すると、まず内回動軸２４ａのみが回動し、内回動軸２４ａが有する角部の前面２４ｂが内軸係合部３３ｂに係合し内回動軸２４ａとともに連結部材３２が回動し、さらに回動して連結部材３２の外軸係合部３４ｂが、外回動軸３１ａの後面３１ｃに係合するので、外回動軸３１ａの後面３１ｃに外軸係合部３４ｂが係合するまでは、内回動軸２４ａを回動させても外回動軸３１ａに内回動軸２４ａの回動が伝達されない機構を実現することが可能であり、この機構により上記建具１を実現することが可能である。
【００５９】
また、障子３を開いた際に半開状態となるように、障子３を閉じた状態で切替機構２０が設定されている場合には、外回動軸３１ａの回動が内回動軸２４ａに伝達されて障子３が全開状態となるように切替機構２０が切り替えられるので、室外側から操作して外回動軸３１ａを回動させた場合には、障子３をより広く開くことが可能である。
【００６０】
このとき、室外ハンドル３１の操作により外回動軸３１ａが回動すると、まず、外回動軸３１ａが有する角部の前面３１ｂが外軸係合部３４ｂに係合しつつ回動する連結部材３２の内軸係合部３３ｂが、内回動軸２４ａの後面２４ｃに係合しつつ連結部材３２とともに内回動軸２４ａが回動するので、外回動軸３１ａの回動が内回動軸２４ａに伝達される。このため、障子３が半開状態となるように切替機構２０が設定されていたとしても、外回動軸３１ａを回動することにより障子３を全開状態にすることが可能な機構を実現することが可能である。
【００６１】
また、障子３を開いた際に全開状態となるように、障子３を閉じた状態で切替機構２０が設定されている場合には、外回動軸３１ａの回動が内回動軸２４ａに伝達されないので、外側から操作されたとしても全開状態を維持することが可能である。
【００６２】
このとき、室外ハンドル３１の操作により外回動軸３１ａが回動すると、まず外回動軸３１ａのみが回動し、外回動軸３１ａが有する角部の前面３１ｂが外軸係合部３４ｂに係合し外回動軸３１ａとともに連結部材３２が回動し、さらに回動して連結部材３２の内軸係合部３３ｂが、内回動軸２４ａの後面２４ｃに係合するので、内回動軸２４ａの後面２４ｃに内軸係合部３３ｂが係合するまでは、外回動軸３１ａを回動させても内回動軸２４ａに外回動軸３１ａの回動が伝達されない機構を実現することが可能である。
【００６３】
また、内回動軸２４ａは、切替機構２０を室内外方向に貫通すると共に、その室外側先端側が連結部材３２を介して外回動軸３１ａと連結されるので、内回動軸２４ａの回動に伴って切替機構２０は常に切替可能となる一方、内回動軸２４ａの回動により外回動軸３１ａが回動することがない構造とすることが可能となる。更に、そのような構造により、外回動軸３１ａの回動は連結部材３２を介して切替機構２０に伝わる構成になることから、着替設定に応じて外回動軸３１ａの回動を切替機構２０に伝えたり伝えなかったりすることが可能となる。このため、規制機構４０にて障子３が半開状態となるように設定されている場合や、グレモン錠１０により施錠された状態の場合には、室外ハンドル３１を操作すると半開状態としている規制機構４０による規制を解除したり、グレモン錠１０による施錠を解除して全開状態とすることが可能である。また、規制機構４０にて障子３が全開状態となるように設定されている場合や、グレモン錠１０が解錠された状態の場合には、室外ハンドル３１を操作しても、障子３が半開状態になるように規制機構４０が設定されたり、グレモン錠１０が施錠されることなく全開状態を維持することが可能である。すなわち、室内側からの操作により全開状態と半開状態との切り替え、及び、施錠、解錠の操作を可能としつつも、室外ハンドル３１を操作した場合には、必ず全開状態に開放できるように構成することが可能である。
【００６４】
上記実施形態においては、建具１としての外開き窓用の建具を例示したが、本発明の建具１は、外開き窓に限らず、引き違い窓や片引き窓などであってもよい。
【００６５】
また、本実施形態においては、全開状態と半径状態とを切り替える切替機構２０の内回動軸２４ａと外側開放機構３０の外回動軸３１ａとが連結部材３２にて連結されるとともにグレモン錠１０と連動する例について説明したが、グレモン錠等の施錠機構の施解錠回動軸と外回動軸とが連結部材にて連結されるとともに切替機構と連動する形態であっても構わない。この際、施錠状態が第１開閉状態、解錠状態が第２開閉状態となり、グレモン錠により施錠状態に設定されている場合（第１開閉状態となる設定）には、室外ハンドルの回動が内回動軸に伝達されるように構成される。また、施錠機構はグレモン錠に限るものではなく、回動操作により施錠状態と解錠状態とが切り替えられる施錠機構であれば構わない。
【００６６】
また、上記実施形態においては、内回動軸２４ａ、外回動軸３１ａともに角が直角な正方形状としたが、これに限ることなく、四つ角が面取りされたものでも良い。つまり、角が直角である必要はなく、テーパー形状や円弧形状であっても良い。更に、正方形状に限らず、三角形状、長方形状、六角形状、など、他の多角形状であっても良く、その際はそれに合わせて内軸挿入孔３３と外軸挿入孔３４の形状も適宜構成すれば良い。
【００６７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６８】
１  建具、２  枠体、２ａ  縦枠、３  障子、３ｄ  戸先框、２０  切替機構、
２４  切替操作部、２４ａ  内回動軸、２４ｂ  前面、２４ｃ  後面、
３０  外側開放機構、３１  室外ハンドル、３１ａ  外回動軸、３１ｂ  前面、
３１ｃ  後面、３２  連結部材、３３  内軸挿入孔、３３ｂ  内軸係合部、
３４  外軸挿入孔、３４ｂ  外軸係合部、４０  規制機構
【図１】
0005380421.tif 000002
【図２】
0005380421.tif 000003
【図３】
0005380421.tif 000004
【図４】
0005380421.tif 000005
【図５】
0005380421.tif 000006
【図６】
0005380421.tif 000007
【図７】
0005380421.tif 000008
【図８】
0005380421.tif 000009
【図９】
0005380421.tif 000010
【図１０】
0005380421.tif 000011
【図１１】
0005380421.tif 000012